(57)【要約】【課題】電線カバーの変形を防止する。【解決手段】電線カバー２０は、第１板状部２２と、第１板状部２２に対し概ね電線１３の導出方向に沿った稜線部２８を介して連なる第２板状部２７と、第１板状部２２と第２板状部２７の後端に連なってコネクタハウジング１０の後面と対向する第３板状部３２と、第１板状部２２と反対側に開放された開口部２４を有する配索空間２３と、開口部２４を開閉可能な蓋部４３を備える。電線カバー２０のうちコネクタハウジング１０の後面に当接する部分には、受け部３６が形成され、蓋部４３には、受け部３６に対して後方から押圧力を付与可能な押圧部４７が形成され、蓋部４３は、ヒンジ５０により第３板状部３２に対する後方への相対変位を規制されている。【選択図】図２
2011243453.tif 000002
【特許請求の範囲】
【請求項１】
コネクタハウジングと、
電線の前端部に接続されて前記コネクタハウジング内に収容された端子金具と、
前記コネクタハウジングの後端部に取り付けられ、前記コネクタハウジングの後面から導出された前記電線を包囲して導出方向と略直角な方向へ転向させる電線カバーとを備え、
前記電線カバーが、
前記電線の導出方向に沿うように配された第１板状部と、
前記電線の導出方向に沿うように配され、前記第１板状部に対し概ね前記電線の導出方向に沿った稜線部を介して連なる第２板状部と、
前記第１板状部の後端と前記第２板状部の後端とに連なり、前記コネクタハウジングの後面と対向するように配された第３板状部と、
前記第１板状部、前記第２板状部及び前記第３板状部により前記電線を収容可能に形成され、前記第１板状部とは反対側に開放された開口部を有する配索空間と、
前記開口部を開閉可能な蓋部とを備えて構成されているコネクタにおいて、
前記蓋部は、前記開口部を閉塞した状態において、前記第３板状部に対して後方へ相対変位することを規制されており、
前記コネクタハウジングの後面、又は前記電線カバーのうち前記コネクタハウジングの後面に当接する部分に形成された受け部と、
前記蓋部に形成され、前記蓋部が前記開口部を閉塞した状態において、前記受け部に対して後方から押圧力を付与可能な押圧部とを備えていることを特徴とするコネクタ。
【請求項２】
前記受け部が、前記電線カバーにおける前記コネクタハウジングの後面よりも後方の位置に形成されていることを特徴とする請求項１記載のコネクタ。
【請求項３】
前記蓋部には、係止片が形成され、
前記受け部には、前記蓋部が前記開口部を閉塞している状態において、前記係止片を係止させることで前記蓋部の開放方向への変位を規制する係止部が形成されていることを特徴とする請求項２記載のコネクタ。
【発明の詳細な説明】
【技術分野】
【０００１】
本発明は、電線カバーを備えたコネクタに関するものである。
【背景技術】
【０００２】
特許文献１には、コネクタハウジングと、電線の前端部に接続されて前記コネクタハウジング内に収容された端子金具と、コネクタハウジングの後端部に取り付けられ、コネクタハウジングの後面から導出された電線を包囲して導出方向と略直角な方向へ転向させる電線カバーとを備えたコネクタが開示されている。
【０００３】
電線カバーは、電線の導出方向に沿うように配された第１板状部と、電線の導出方向に沿うように配され、第１板状部に対し電線の導出方向に沿った稜線部を介して連なる第２板状部と、第１板状部の後端と第２板状部の後端とに連なり、コネクタハウジングの後面と対向するように配された第３板状部とを備えている。
【０００４】
第１板状部、第２板状部及び第３板状部は、電線を収容して転向させるための配索空間を構成しているが、配索空間には、電線を配索空間に収容し易くするために、第１板状部とは反対側に開放された開口部が形成されている。電線を配索空間に収容した後は、この開口部は、蓋部によって閉塞される。
【先行技術文献】
【特許文献】
【０００５】
【特許文献１】特開平８−１９０９５４号公報
【発明の概要】
【発明が解決しようとする課題】
【０００６】
このコネクタでは、コネクタハウジングを相手側ハウジングに嵌合させる際に、作業者は、第３板状部の後面に指を宛がって押し操作することにより、電線カバーを介してコネクタハウジングに嵌合力を付与することができるようになっている。
【０００７】
しかし、電線カバーは、複数の板状部によって箱状に形成されているため、剛性は高くない。そのため、第３板状部に押し操作力を付与したときに、電線カバーが変形し、円滑な嵌合作業に支障を来すことが懸念される。
【０００８】
本発明は上記のような事情に基づいて完成されたものであって、電線カバーの変形を防止することを目的とする。
【課題を解決するための手段】
【０００９】
上記の目的を達成するための手段として、請求項１の発明は、コネクタハウジングと、電線の前端部に接続されて前記コネクタハウジング内に収容された端子金具と、前記コネクタハウジングの後端部に取り付けられ、前記コネクタハウジングの後面から導出された前記電線を包囲して導出方向と略直角な方向へ転向させる電線カバーとを備え、前記電線カバーが、前記電線の導出方向に沿うように配された第１板状部と、前記電線の導出方向に沿うように配され、前記第１板状部に対し概ね前記電線の導出方向に沿った稜線部を介して連なる第２板状部と、前記第１板状部の後端と前記第２板状部の後端とに連なり、前記コネクタハウジングの後面と対向するように配された第３板状部と、前記第１板状部、前記第２板状部及び前記第３板状部により前記電線を収容可能に形成され、前記第１板状部とは反対側に開放された開口部を有する配索空間と、前記開口部を開閉可能な蓋部とを備えて構成されているコネクタにおいて、  前記蓋部は、前記開口部を閉塞した状態において、前記第３板状部に対して後方へ相対変位することを規制されており、前記コネクタハウジングの後面、又は前記電線カバーのうち前記コネクタハウジングの後面に当接する部分に形成された受け部と、前記蓋部に形成され、前記蓋部が前記開口部を閉塞した状態において、前記受け部に対して後方から押圧力を付与可能な押圧部とを備えているところに特徴を有する。
【００１０】
請求項２の発明は、請求項１に記載のものにおいて、前記受け部が、前記電線カバーにおける前記コネクタハウジングの後面よりも後方の位置に形成されているところに特徴を有する。
【００１１】
請求項３の発明は、請求項２に記載のものにおいて、前記蓋部には、係止片が形成され、前記受け部には、前記蓋部が前記開口部を閉塞している状態において、前記係止片を係止させることで前記蓋部の開放方向への変位を規制する係止部が形成されているところに特徴を有する。
【発明の効果】
【００１２】
＜請求項１の発明＞
蓋部で開口部を閉塞した状態で、第３板状部に対し後方から外力が付与されると、その外力は、変位規制部を介して蓋部に伝わり、さらに押圧部と受け部との当接作用により、蓋部から、コネクタハウジングに直接、又は電線カバーを介してコネクタハウジングに間接的に伝達される。第３板状部とコネクタハウジングの後面との間には、蓋部が突っ張るような形態で介在しているので、第３板状部は、後方からの外力を受けても、コネクタハウジング側に接近するような変形を生じる虞がない。
【００１３】
＜請求項２の発明＞
受け部が前方に位置するほど、蓋部の前後長が長くなるため、蓋部の剛性が低下するのであるが、本発明では、受け部をコネクタハウジングの後面よりも後方に配置しているので、蓋部の前後長が短くなり、蓋部の剛性が向上する。これにより、第３板状部の変形を確実に防止することができる。
【００１４】
＜請求項３の発明＞
蓋部の押圧部からの押圧力を受け止める受け部の近傍には、蓋部を閉塞状態にロックするための係止部が配置されているので、係止部に蓋部の係止片が係止した状態では、その係止作用により、押圧部の受け部に対する位置ずれが防止される。これにより、押圧部を受け部に対して確実に当接させることができる。
【図面の簡単な説明】
【００１５】
【図１】実施形態１の正面図
【図２】配索空間の開口部を蓋部で閉塞した状態をあわらす底面図
【図３】配索空間の開口部を開放した状態をあわらす底面図
【図４】配索空間の開口部を蓋部で閉塞した状態をあわらす図１のＡ−Ａ線断面図
【図５】配索空間の開口部を開放した状態をあわらす図１のＡ−Ａ線断面図
【図６】図４のＢ−Ｂ線断面図
【図７】図５のＣ−Ｃ線断面図
【図８】図４のＤ−Ｄ線断面図
【図９】図５のＥ−Ｅ線断面図
【図１０】側面図
【発明を実施するための形態】
【００１６】
＜実施形態１＞
以下、本発明を具体化した実施形態１を図１乃至図１０を参照して説明する。本実施形態のコネクタは、図１〜図５に示すように、コネクタハウジング１０と、コネクタハウジング１０の後端部に取り付けられる電線カバー２０とを備えて構成されている。コネクタハウジング１０は、全体としてブロック状をなし、図４、５，８，９に示すように、コネクタハウジング１０の内部に形成した複数のキャビティ１１には、夫々、端子金具１２が後方から挿入されている。各端子金具１２の後端部には電線１３の前端部が接続され、電線１３はコネクタハウジング１０の後面から後方へ導出されている。
【００１７】
図６〜１０に示すように、コネクタハウジング１０の後端部の左右両外側面には、一対のロック突起１４が形成されている。また、図２〜５に示すように、コネクタハウジング１０の後端部においては、キャビティ１１よりも下方の領域がコネクタハウジング１０の全幅に亘って切欠されている。図６，７に示すように、この切欠部１５内には、切欠部１５の天井面から下方へ延出するとともに、切欠部１５の前面（＝コネクタハウジング１０の後面）から後方へ延出する左右一対の板状をなす第１ガイドリブ１６が形成されている。図６，７，１０に示すように、第１ガイドリブ１６の外側面には、前後方向に直線状に延びる第２ガイドリブ１７が形成されている。尚、第１ガイドリブ１６の下端縁部は、その全長に亘って内側に屈曲されている。
【００１８】
図２〜５，８，９に示すように、電線カバー２０は、その前端部においてコネクタハウジング１０の後端部に組み付けられることで、コネクタハウジング１０の後面から後方へ導出された複数本の電線１３を包囲するようになっている。電線カバー２０に包囲された電線１３は、電線カバー２０の内部において、電線カバー２０の平面形状に沿って右方へ略直角に転向するように配索され、電線カバー２０の右端部から外部へ導出されている。電線カバー２０は、合成樹脂製であり、図３〜７に示すように、下面に開口部２４を有するカバー本体２１と、カバー本体２１に対してヒンジ５０を介して一体に形成された（＝カバー本体２１に連なった）蓋部４３とを備えて構成されている。
【００１９】
図２〜９に示すように、カバー本体２１は、第１板状部２２、第２板状部２７、第３板状部３２、第４板状部３５、及び左右一対の受け部３６とを備えて構成されている。図３，４，５，８，９に示すように、これらの板状部２２，２７，３２，３５と受け部３６とによって囲まれた空間は、コネクタハウジング１０から導出された電線１３を収容して転向させるように配索するための配索空間２３となっている。この配索空間２３は、電線カバー２０の前面の一部、下面（配索空間２３を挟んで第１板状部２２とは反対側の面）の全領域、及び右側面の一部において電線カバー２０の外部へ開放されている。図３〜５に示すように、この配索空間２３を電線カバー２０の外部へ開放させるための開口部２４は、電線１３を配索空間２３に収容し易くすること、又は電線カバー２０をコネクタハウジング１０に組み付けた後でも電線１３を収容できるようにすることを目的として形成されたものである。
【００２０】
図４，５，１０に示すように、第１板状部２２は、電線カバー２０の上面を構成する。第１板状部２２は、側方から見ると中央が盛り上がった円弧状をなしていて左右方向（つまり、コネクタハウジング１０からの電線１３の導出方向と略直角な方向）に長いアーチ部２５と、アーチ部２５の左端側部分の前縁から前方へ水平（前後方向）延出するリブ状延出部２６とから構成されている。この第１板状部２２のアーチ部２５の左端側の部分とリブ状延出部２６は、電線１３の導出方向に沿った形態となっている。
【００２１】
図１，２，３，８，９，１０に示すように、第２板状部２７は、全体として概ね平板状をなし、電線カバー２０の左側面を構成している。つまり、第２板状部２７は、電線１３の導出方向に沿うように配されている。図１，１０に示すように、第２板状部２７の上端縁は、第１板状部２２に対し、その左側縁における全領域に沿った稜線部２８を介して連なっている。図１０に示すように、第２板状部２７には、その前端縁から前方へ片持ち状に且つ面一状に延出した形態の弾性ロック片２９が形成され、弾性ロック片２９にはロック孔３０が形成されている。同じく第２板状部２７には、その前端縁のうち弾性ロック片２９よりも下端部から前方へ片持ち状に且つ面一状に延出した形態の延出部が形成され、図６，７，１０に示すように、延出部の上端縁と弾性ロック片２９の下端縁との間は、前方に開口されて前後方向に直線状に延びる第２ガイド溝３１となっている。
【００２２】
図２〜５，８〜１０に示すように、第３板状部３２は、全体として平板状をなし、電線カバー２０の後面の一部を構成している。第３板状部３２の上端縁は、第１板状部２２の左端側部分における水平な後端縁に対して直角に連なり、第３板状部３２の左側縁は、第２板状部２７の上下方向の後端縁に対して直角に連なっている。したがって、第３板状部３２は、コネクタハウジング１０の後面に対してほぼ平行をなすように対向するように配されている。図２〜５に示すように、第３板状部３２の下端縁には、左右方向において上記第２板状部２７と後述する第４板状部３５との中間部分を切欠した形態の嵌合溝３３が形成されている。図２〜５，８〜１０に示すように、第３板状部３２の後面は、本実施形態のコネクタを相手側コネクタ（図示省略）に嵌合する際に作業者が指を押し当てるための押圧面３４となっている。
【００２３】
図１〜４，６〜９に示すように、第４板状部３５は、全体として概ね平板状をなし、電線カバー２０の右側面の一部を構成している。第４板状部３５の上端縁は、第１板状部２２に対し、そのリブ状延出部２６の右側縁に対して直角に連なっている。図６に示すように、第４板状部３５には、その前端縁から前方へ片持ち状に且つ面一状に延出した形態の弾性ロック片２９が形成され、弾性ロック片２９にはロック孔３０が形成されている。同じく第４板状部３５には、その前端縁のうち弾性ロック片２９よりも下端部から前方へ片持ち状に且つ面一状に延出した形態の延出部が形成され、図６に示すように、延出部の上端縁と弾性ロック片２９の下端縁との間は、前方に開口されて前後方向に直線状に延びる第２ガイド溝３１となっている。この第４板状部３５の弾性ロック片２９、延出部及び第２ガイド溝３１は、第２板状部２７の弾性ロック片２９、延出部及び第２ガイド溝３１とは、左右対称な形態となっている。
【００２４】
一対の受け部３６は、図２，３に示すように左右対称であり、図４，５に示すように電線カバー２０の下面の一部を構成している。図２，４〜７に示すように、左側の受け部３６は、第２板状部２７の内面における下端縁部から内側に水平に突出する水平部３７と、水平部３７の延出端縁（内側の端縁）から上方へ延出する鉛直部３８とを備えて構成されている。右側の受け部３６は、第４板状部３５の内面における下端縁部から内側に水平に突出する水平部３７と、水平部３７の延出端縁（内側の端縁）から上方へ延出する鉛直部３８とを備えて構成されている。
【００２５】
図６に示すように、第２板状部２７の内面（右側面）と水平部３７の上面と鉛直部３８の内面（左側面）とで囲まれた空間と、第４板状部３５の内面（左側面）と水平部３７の上面と鉛直部３８の内面（右側面）とで囲まれた空間は、いずれも、前後方向に直線状に延びて、受け部３６の前後両端面と上面とに開放された第１ガイド溝３９となっている。これらの両第１ガイド溝３９には、コネクタハウジング１０の第１ガイドリブ１６が前後方向の摺動を可能に嵌合されるようになっている。両第１ガイド溝３９を構成する鉛直部３８の内面の下端縁部は、第１ガイドリブ１６の下端縁部の内側に屈曲した部分を嵌合させるために、少し凹んだ形態となっている。
【００２６】
図３，６，７に示すように、左側の受け部３６の内面、即ち左側の鉛直部３８の外面（右側面）には、突起状をなす係止部４０が形成されている。係止部４０の上面は水平であり、係止部４０の下面は水平方向に対して傾斜している。また、右側の受け部３６の内面、即ち、右側の鉛直部３８の外面（右側面）にも、左側の係止部４０と左右対称な突起状の係止部４０が形成されている。左右両受け部３６は、配索空間２３のうち前端部における左右両側縁部を塞いでいる。図２，６，７に示すように、この両受け部３６の間の空間は、配索空間２３の前端部を電線カバー２０の下方へ開放させる幅狭連通部４１となっている。この幅狭連通部４１は、電線カバー２０の下面の開口部２４を構成する。
【００２７】
一対の受け部３６を構成する左右両両水平部３７の後端は、第４板状部３５の後端縁よりも前方に位置する。そして、図２〜５に示すように、この両水平部３７の後端面は、後述する蓋部４３の押圧部４７からの押圧力を受け止めるための左右対称な一対の受け面４２となっている。この一対の受け面４２は、コネクタハウジング１０からの電線１３の導出方向と直角であって左右方向（水平方向）に細長い平坦面である。そして、両受け面４２は、前後方向において同じ位置に配置されているとともに、上下方向において同じ高さに配置されている。
【００２８】
図２〜５に示すように、蓋部４３は、全体として一枚板状をなす蓋本体部４４と、蓋本体部４４から突出する左右一対の係止片４５とを一体に形成したものであって、左右対称な形状である。蓋部４３をカバー本体２１に組み付けた状態における蓋本体部４４の前端部は、それよりも後方の領域よりも幅寸法を小さくした幅狭部４６となっている。この幅狭部４６の幅寸法は、幅狭連通部４１の幅寸法と同じ寸法である。蓋部４３をカバー本体２１に組み付けた状態における蓋本体部４４の前端縁のうち幅狭部４６の左右両側方の領域（幅狭部４６以外の領域）は、左右対称な一対の押圧部４７となっている。
【００２９】
図４〜７に示すように、左右一対の係止片４５は、蓋部４３を組み付けた状態における幅狭部４６の上面から上方へ直角に板状に突出する。各係止片４５は、幅狭部４６の前後方向の側縁に沿うように位置しており、係止片４５の外側面と幅狭部４６の外側面とは面一状に連なっている。また、図４、５に示すように、係止片４５には、左右方向に貫通する係止孔４８が形成されている。図２，３に示すように、蓋部４３を組み付けた状態における蓋本体部４４の後端部は、幅狭部４６とほぼ同じ幅の幅狭嵌合部４９となっている。この幅狭嵌合部４９の後端縁は、第３板状部３２の下端縁に対し板状をなすヒンジ５０を介して連なっている。
【００３０】
次に、電線カバー２０をコネクタハウジング１０に組み付ける手順を説明する。組付けに際しては、蓋部４３をカバー本体２１の後方へ退避させて幅狭連通部４１を開放させた状態としておき、電線カバー２０を、電線１３の上から被せるようにしながら、後方からコネクタハウジング１０に接近させる。このとき、電線１３は、電線カバー２０内の配索空間２３に収容してもよいが、配索空間２３の外へはみ出していてもよい。
【００３１】
電線カバー２０をコネクタハウジング１０に接近させる際には、第１ガイドリブ１６に第１ガイド溝３９を嵌合させるとともに、第２ガイドリブ１７に第２ガイド溝３１を嵌合させる。これにより、電線カバー２０（カバー本体２１）がコネクタハウジング１０に対して正しい姿勢で接近する。また、電線カバー２０を組み付ける途中では、弾性ロック片２９がロック突起１４と干渉して左右方向外側へ開くように（退避するように）弾性撓みする。
【００３２】
そして、電線カバー２０がコネクタハウジング１０に対して正規の組付位置に達すると、弾性ロック片２９が弾性復帰してロック孔３０がロック突起１４に係止し、この係止作用により、電線カバー２０がコネクタハウジング１０に対して後方への相対変位（離脱）を規制される。また、第１ガイドリブ１６と第１ガイド溝３９の嵌合により、電線カバー２０は、コネクタハウジング１０に対して左右方向への相対変位を規制される。さらに、第２ガイドリブ１７と第２ガイド溝３１の嵌合により、電線カバー２０は、コネクタハウジング１０に対する上下方向への相対変位、及び前傾変位又は後傾変位を規制される。さらにまた、カバー本体２１のうち第１板状部２２、第２板状部２７及び第４板状部３５の前端縁がコネクタハウジング１０の後面に対して当接又は僅かな隙間を空けて対向することにより、電線カバー２０は、コネクタハウジング１０に対する前方への相対変位を規制される。
【００３３】
電線カバー２０をコネクタハウジング１０に組み付けた後は、コネクタハウジング１０から導出されている電線１３を、配索空間２３内に収容して、第１板状部２２に沿うように転向させて、第１板状部２２の右端から電線カバー２０外へ右方に導出させる。この後、ヒンジ５０を湾曲変形させながら、第３板状部３２の下端縁を略支点として蓋部４３を反転させるようにしてカバー本体２１に組み付ける。以上により、本実施形態のコネクタの組付けが完了する。
【００３４】
蓋部４３をカバー本体２１に組み付けた状態では、一対の係止片４５の係止孔４８が、一対の受け部３６の間（幅狭連通部４１）に入り込んで係止部４０に係止し、この係止作用により、蓋部４３がカバー本体２１に対して組付け状態に保持され、蓋部４３がカバー本体２１に対して上下方向及び前後方向へ相対変位することが規制される。
【００３５】
蓋部４３を組み付けた状態では、蓋本体部４４が、電線カバー２０の下面の開口部２４のうちコネクタハウジング１０の真後ろの領域を閉塞し、幅狭嵌合部４９が一対の受け部３６の間の幅狭連通部４１を閉塞し、幅狭嵌合部４９が第３板状部３２の嵌合溝３３に嵌合する。幅狭嵌合部４９と幅狭連通部４１との嵌合及び幅狭嵌合部４９と嵌合溝３３との嵌合により、蓋部４３のカバー本体２１に対する左右方向への相対変位が規制される。
【００３６】
蓋部４３を組み付けた状態では、蓋本体部４４の後端縁のうち幅狭嵌合部４９の左右両側の領域が、第３板状部３２に対して前方から当接又は接近して対向することにより、蓋部４３のカバー本体２１に対する後方への相対変位が規制される。さらに、左右一対の押圧部４７が左右一対の受け部３６の受け面４２に対して後方から当接又は接近して対向することにより、蓋部４３のカバー本体２１に対する前方への相対変位が規制される。
【００３７】
本実施形態のコネクタを相手側コネクタ（図示省略）に嵌合する際には、作業者は、指を第３板状部３２の押圧面３４に宛がって押し操作することができる。このとき、第３板状部３２に付与した押圧力は、蓋部４３に伝わり、蓋部４３から受け部３６に伝わり、受け部３６からコネクタハウジング１０の後面に伝わる。つまり、第３板状部３２に作用する操作力は、蓋部４３と受け部３６を介してコネクタハウジング１０の後面で受け止められる。蓋部４３と受け部３６は、第３板状部３２とコネクタハウジング１０の後面との間で突っ張り棒のように作用するので、押圧面３４に後方からの押圧力が作用しても、この押圧力の作用に起因して第３板状部３２が変形する虞はない。
【００３８】
また、受け部３６が前方に位置するほど、蓋部４３の前後長が長くなるため、蓋部４３の剛性が低下するのであるが、本実施形態では、受け部３６をコネクタハウジング１０の後面よりも後方に配置しているので、蓋部４３の前後長が短くなり、蓋部４３の剛性が向上する。これにより、第３板状部３２の変形を確実に防止することができる。
【００３９】
また、蓋部４３に係止片４５を形成し、受け部３６に、蓋部４３が開口部２４を閉塞している状態において、係止片４５を係止させることで蓋部４３の開放方向への変位を規制する係止部４０を形成した。この構成によれば、蓋部４３の押圧部４７からの押圧力を受け止める受け部３６の近傍に、蓋部４３を閉塞状態にロックするための係止部４０が配置されていることになるので、係止部４０に蓋部４３の係止片４５が係止した状態では、その係止作用により、押圧部４７の受け部３６に対する位置ずれが防止される。これにより、押圧部４７を受け部３６に対して確実に当接させることができる。
【００４０】
＜他の実施形態＞
本発明は上記記述及び図面によって説明した実施形態に限定されるものではなく、例えば次のような実施形態も本発明の技術的範囲に含まれる。
（１）上記実施形態では、蓋部をヒンジを介してカバー本体に一体に連結した形態としたが、蓋部は、カバー本体とは別体の部品としてもよい。
（２）上記実施形態では、蓋部をヒンジを介して第３板状部に連なるようにしたが、蓋部は、ヒンジを介して第２板状部に連なるようにしてもよい。
（３）上記実施形態では、受け部を電線カバーのうちコネクタハウジングの後面に当接する部分に形成したが、受け部は、コネクタハウジングの後面に形成してもよい。
（４）上記実施例では、蓋部の押圧部からの押圧力を受け止める受け部の近傍に、蓋部を閉塞状態にロックするための係止部を配置したが、係止部は、受け部から離れた位置に配置してもよい。この場合、係止部は、受け部が形成されている板状部とは別の板状部に形成することができる。
（５）上記実施形態では、蓋部を閉塞状態にロックするための係止片と、電線カバーをコネクタハウジングへの組付け状態にロックするための弾性ロック片とを互いに非接触となるように配置したが、これに変えて、係止片と弾性ロック片を互いに当接可能な配置としてもよい。この場合、電線カバーがコネクタハウジングに対して不正な嵌合状態となって弾性ロック片が弾性撓みしたままになった状態では、この弾性ロック片に対して蓋部の係止片が干渉し、係止片が係止状態とならないようにすることができる。このようにすれば、蓋部を閉塞状態へ変位させる際に、コネクタハウジングに対して電線カバーが適性に嵌合されているか否かを検知することができる。
【符号の説明】
【００４１】
１０…コネクタハウジング
１２…端子金具
１３…電線
２０…電線カバー
２２…第１板状部
２３…配索空間
２４…開口部
２７…第２板状部
２８…稜線部
３２…第３板状部
３６…受け部
４０…係止部
４３…蓋部
４５…係止片
４７…押圧部
【図１】
2011243453.tif 000003
【図２】
2011243453.tif 000004
【図３】
2011243453.tif 000005
【図４】
2011243453.tif 000006
【図５】
2011243453.tif 000007
【図６】
2011243453.tif 000008
【図７】
2011243453.tif 000009
【図８】
2011243453.tif 000010
【図９】
2011243453.tif 000011
【図１０】
2011243453.tif 000012